(57)【特許請求の範囲】
【請求項１】
リスニングポイントの周りに配置した少なくとも３台以上のスピーカに入力する３チャンネル以上のオーディオ信号を再生することが可能なマルチチャンネル再生装置において、スピーカの配置及び各スピーカ間の距離を示すスピーカ構成情報が入力される外部入力部と、３台以上のスピーカのうちの第１のスピーカに隣り合う第２のスピーカに入力する第２のオーディオ信号の信号レベルを変化させる第１乗算部と、前記第１のスピーカに隣り合う第３のスピーカに入力する第３のオーディオ信号の信号レベルを変化させる第２乗算部と、前記スピーカ構成情報に基づいて前記第１及び第２乗算部の乗数を変化させる制御部と、前記第１のスピーカに入力する第１のオーディオ信号と前記第１乗算部から出力された第２のオーディオ信号と前記第２乗算部から出力された第３のオーディオ信号とを加算する加算部とを具備することを特徴とするマルチチャンネル再生装置。
【請求項２】
３台のスピーカに入力する３チャンネルのオーディオ信号を再生することが可能なマルチチャンネル再生装置において、スピーカの配置及び各スピーカ間の距離を示すスピーカ構成情報が入力される外部入力部と、第１のスピーカに隣り合う第２のスピーカに入力する第２のオーディオ信号の信号レベルを変化させる第１乗算部と、前記第１のスピーカに隣り合う第３のスピーカに入力する第３のオーディオ信号の信号レベルを変化させる第２乗算部と、前記第１のスピーカに入力する第１のオーディオ信号の信号レベルを変化させる第３乗算部と、前記スピーカ構成情報に基づいて前記第１、第２及び第３乗算部の乗数を変化させる制御部と、前記第１のオーディオ信号と前記第１乗算部から出力された第２のオーディオ信号及び前記第２乗算部から出力された第３のオーディオ信号とを加算する第１加算部と、前記第２のオーディオ信号と前記第３乗算部から出力された第１のオーディオ信号とを加算する第２加算部と、前記第３のオーディオ信号と前記第３乗算部から出力された第１のオーディオ信号とを加算する第３加算部とを具備することを特徴とするマルチチャンネル再生装置。
【請求項３】
リスニングポイントの周りに配置した少なくとも３台以上のスピーカに入力する３チャンネル以上のオーディオ信号を再生することが可能なマルチチャンネル再生装置において、スピーカの配置及び各スピーカ間の距離を示すスピーカ構成情報が入力される外部入力部と、３台以上のスピーカのうちの第１のスピーカに隣り合う第２のスピーカに入力する第２のオーディオ信号の信号レベルを変化させる第１乗算部と、前記第１のスピーカに隣り合う第３のスピーカに入力する第３のオーディオ信号の信号レベルを変化させる第２乗算部と、前記第１のスピーカに入力する第１のオーディオ信号の信号レベルを変化させる第３乗算部と、前記スピーカ構成情報に基づいて前記第１、第２及び第３乗算部の乗数を変化させる制御部と、前記第１乗算部から出力された第２のオーディオ信号と前記第２乗算部から出力された第３のオーディオ信号と前記第３乗算部から出力された第１のオーディオ信号とを加算する加算部とを具備することを特徴とするマルチチャンネル再生装置。
【発明の詳細な説明】
【０００１】
【発明の属する技術分野】
本発明は、マルチチャンネルのオーディオ信号を再生するマルチチャンネル再生装置に関する。
【０００２】
【従来の技術】
従来、映画を楽しむものとしてビデオディスク再生装置等がある。ビデオディスク再生装置を用いたオーディオシステムは、テレビに映像を表示し、２本のスピーカから音楽等のオーディオ信号をステレオで出力し、左右の拡がり間を得るのが一般的であった。しかし、最近になり、映像の立体的な動きに対応してオーディオ信号が出力される劇場のような臨場感を得るために、リスニングポイントの周りに配置した３本以上のスピーカから各々のスピーカに対応したオーディオ信号を出力するマルチチャンネル再生方法がある。
【０００３】
マルチチャンネル再生方法により得られる臨場感は、音源、スピーカの設置状態、部屋の大きさ、再生機器などをはじめとする様々な環境により大きく変化する。その中で、マルチチャンネル再生にｎ本のスピーカを設置した場合、各々のスピーカ間の距離と隣り合うスピーカの音の漏れ（再生セパレーション）が、音の定位感、移動感、臨場感などに影響する。複数のスピーカを配置し音の漏れがない場合、すなわち再生セパレーションが良すぎると、音はスピーカの位置からのみ聞こえ、音の定位感、移動感、臨場感などは自然に聞こえない。逆に最適な再生セパレーションの場合、自然な音の定位感、移動感、臨場感が得られる。
【０００４】
また、マルチチャンネル再生方法におけるオーディオ信号のエンコード方法には、２チャンネルのアナログのオーディオ信号に位相を変えたオーディオ信号を混入し、４チャンネルのオーディオ信号とするエンコード方法や、デジタル信号を圧縮することにより情報量を少なくして複数チャンネルのデジタルオーディオ信号を記録するエンコード方法など様々なエンコード方法が提案されている。これらのエンコード方法の中には、各チャンネルの再生セパレーションを定数の変更により可変するものもあるが、ほとんどはエンコード時点で決定される。
【０００５】
図９は、従来のマルチチャンネル再生装置における再生セパレーションを説明するための模式図である。
図９に示す各スピーカ周辺の円は、各スピーカから出力された音の放射音場を示している。ここで、スピーカからある音量で出力された音が、所定時間に伝搬する範囲を放射音場とする。音はスピーカから出力されると、時間の経過と共に伝搬する範囲が拡がり、また、レベルも徐々に低くなり、図９に示す円周部分でレベルが０となる。また、左チャンネルをＬｃｈ、右チャンネルをＲｃｈ、センターチャンネルをＣｃｈ、サラウンド用左チャンネルをＳＬｃｈ、サラウンド用右チャンネルをＳＲｃｈとし、各チャンネルのオーディオ信号は、それぞれ対応した各スピーカから出力される。
【０００６】
例えば、ヘリコプターが画面の左側から右側に移動するシーンの場合、ヘリコプターの音は、視聴者の前方左側から、中央、そして前方右側へと移動し、絵と音が連動して移動する。つまり、それぞれスピーカから出力された音の放射音場は、隣り合うスピーカの音の放射音場と交わり、放射音場が交わる部分がスピーカの配置に対して最適な再生セパレーションの場合、音が連続して移動する自然な移動感が得られる。
【０００７】
例えば、ＬｃｈスピーカからＣｃｈスピーカへ音が移動したときの音の移動感について説明する。ＬｃｈスピーカからＣｃｈスピーカ方向に音が移動するとともに、Ｌｃｈスピーカからの音のレベルが徐々に減衰する。Ｌｃｈスピーカからの音が減衰して信号レベルが０になる前にＣｃｈスピーカから徐々に音が出力され、Ｌｃｈスピーカからの音の信号レベルが０になった時点で、ＣｃｈスピーカからＬｃｈスピーカから出力されていた信号レベルで音が出力される。
【０００８】
つまり、ＬｃｈスピーカまたはＣｃｈスピーカから出力される音は、時間と共にレベル変化するが、ＬｃｈスピーカからＣｃｈスピーカに移動した音のレベルは、ＬｃｈスピーカとＣｃｈスピーカとの間では一定である。すなわち、聴感上、音がＬｃｈスピーカからＣｃｈスピーカに移動して聞こえ、自然な音の移動感を得ることができる。言い換えれば、マルチチャンネル再生方法においては、最適なセパレーションが得られるように、各チャンネルのオーディオ信号の放射音場を、隣り合うスピーカの放射音場に交わるようにスピーカを配置し、自然な移動感を得ている。
【０００９】
【発明が解決しようとする課題】
しかしながら、オーディオ機器の中には、ＡＶアンプのように再生方法の異なる様々な信号が入力されるものもある。このため、デジタル・バーサタイル・ディスク（ＤＶＤ：Digital Versatile Disk）をはじめとしたビデオディスクに記録されたエンコード信号がＡＶアンプに入力されると、ＡＶアンプは、入力したエンコード信号に対応したデコード回路を作動させ、自動的に各チャンネル間の再生セパレーションを入力したエンコード信号用のセパレーションレベルにする。次に他のエンコード方法でエンコードされた信号が入力した場合は、新たに入力した信号専用のデコード回路に切換るため、各チャンネル間の再生セパレーションは、先に入力したエンコード信号用のセパレーションレベルとは異なるセパレーションレベルとなる。つまり、ユーザは、マルチチャンネル再生方法の切り換え毎に、再生セパレーションを設定し直す必要があるという欠点がある。
【００１０】
また、再生セパレーションを各種のマルチチャンネル再生方法に対応させて設定した場合においても、自然な音の移動感が得られないことがある。
図１０は、従来のマルチチャンネル再生装置においてスピーカ間の距離が離れた場合の再生セパレーションを説明するための模式図である。
図１０において、各チャンネルのスピーカ間の距離を離して配置した場合、各スピーカの放射音場は、隣り合うスピーカの放射音場と重ならないため、音が移動した時にスピーカとスピーカとの間で音がとぎれ、例えば、Ｌｃｈスピーカから発したヘリコプターの音は、所定時間まで徐々に減衰して聞こえ、所定時間が過ぎると音が突然中央のＣｃｈスピーカに移動して聞こえ、音の移動感が不自然に聞こえるという欠点があった。
【００１１】
本発明の目的は、リスニングポイントの周りに複数のスピーカを配置した場合において、異なるマルチチャンネル再生方法に対応したオーディオ信号の切換を行っても、スピーカの配置及び各スピーカ間の距離に応じて自然な音の移動感を得ることができるマルチチャンネル再生装置を提供することにある。
【００１２】
【課題を解決するための手段】
本発明は、リスニングポイントの周りに配置した少なくとも３台以上のスピーカに入力する３チャンネル以上のオーディオ信号を再生することが可能なマルチチャンネル再生装置において、スピーカの配置及び各スピーカ間の距離を示すスピーカ構成情報が入力される外部入力部と、３台以上のスピーカのうちの第１のスピーカに隣り合う第２のスピーカに入力する第２のオーディオ信号の信号レベルを変化させる第１乗算部と、前記第１のスピーカに隣り合う第３のスピーカに入力する第３のオーディオ信号の信号レベルを変化させる第２乗算部と、前記スピーカ構成情報に基づいて前記第１及び第２乗算部の乗数を変化させる制御部と、前記第１のスピーカに入力する第１のオーディオ信号と前記第１乗算部から出力された第２のオーディオ信号と前記第２乗算部から出力された第３のオーディオ信号とを加算する加算部とを具備することを特徴としている。
【００１３】
また、本発明は、３台のスピーカに入力する３チャンネルのオーディオ信号を再生することが可能なマルチチャンネル再生装置において、スピーカの配置及び各スピーカ間の距離を示すスピーカ構成情報が入力される外部入力部と、第１のスピーカに隣り合う第２のスピーカに入力する第２のオーディオ信号の信号レベルを変化させる第１乗算部と、前記第１のスピーカに隣り合う第３のスピーカに入力する第３のオーディオ信号の信号レベルを変化させる第２乗算部と、前記第１のスピーカに入力する第１のオーディオ信号の信号レベルを変化させる第３乗算部と、前記スピーカ構成情報に基づいて前記第１、第２及び第３乗算部の乗数を変化させる制御部と、前記第１のオーディオ信号と前記第１乗算部から出力された第２のオーディオ信号及び前記第２乗算部から出力された第３のオーディオ信号とを加算する第１加算部と、前記第２のオーディオ信号と前記第３乗算部から出力された第１のオーディオ信号とを加算する第２加算部と、前記第３のオーディオ信号と前記第３乗算部から出力された第１のオーディオ信号とを加算する第３加算部とを具備することを特徴としている。
【００１４】
また、本発明は、リスニングポイントの周りに配置した少なくとも３台以上のスピーカに入力する３チャンネル以上のオーディオ信号を再生することが可能なマルチチャンネル再生装置において、スピーカの配置及び各スピーカ間の距離を示すスピーカ構成情報が入力される外部入力部と、３台以上のスピーカのうちの第１のスピーカに隣り合う第２のスピーカに入力する第２のオーディオ信号の信号レベルを変化させる第１乗算部と、前記第１のスピーカに隣り合う第３のスピーカに入力する第３のオーディオ信号の信号レベルを変化させる第２乗算部と、前記第１のスピーカに入力する第１のオーディオ信号の信号レベルを変化させる第３乗算部と、前記スピーカ構成情報に基づいて前記第１、第２及び第３乗算部の乗数を変化させる制御部と、前記第１乗算部から出力された第２のオーディオ信号と前記第２乗算部から出力された第３のオーディオ信号と前記第３乗算部から出力された第１のオーディオ信号とを加算する加算部とを具備することを特徴としている。
【００１８】
本発明によれば、リスニングポイントの周りに配置した複数のスピーカから、それぞれ出力されるオーディオ信号を再生することが可能なマルチチャンネル再生装置において、所定のスピーカに入力されるオーディオ信号に隣り合う他のスピーカに入力するオーディオ信号の信号レベルを減衰させ、所定のスピーカのオーディオ信号と減衰した他のスピーカのオーディオ信号とを加算し、所定のスピーカから出力するため、マルチチャンネル再生方法に関係なく、各スピーカ間の距離が離れた場合においても、自然な音の移動感を得ることができる。
【００１９】
【発明の実施の形態】
図１は、本発明のマルチチャンネル再生装置における一実施例の概略構成を示す模式図である。
図１におけるマルチチャンネル再生装置は、例えば、ＬＤプレーヤ、ＤＶＤプレーヤ等の外部再生装置からのオーディオ信号に対して、デコード処理、再生セパレーションの調整や残響音の付加等の処理を施した後、オーディオ信号を増幅し、各チャンネルのスピーカから出力させるものである。マルチチャンネル再生装置は、Ａ／Ｄ変換部１０１、セレクタ１０２、外部入力部１０３、デジタル信号処理部１０４、メモリ１０５、ＣＰＵ１０６、Ｄ／Ａ変換部１０７、アンプ１０８を備えている。
【００２０】
マルチチャンネル再生装置のアンプ１０８には各チャンネル毎にスピーカ１０９が接続されている。本実施例においては、５チャンネルのオーディオ信号を出力する５本のスピーカ１０９が接続されており、それぞれのスピーカ１０９は、リスニングポイントを中心として、その周囲に配置されている。５チャンネルのオーディオ信号は、前方左用（Ｌｃｈ）スピーカ１０９ａ、前方中央用（Ｃｃｈ）スピーカ１０９ｂ、前方右用（Ｒｃｈ）スピーカ１０９ｃ、後方左用サラウンド（ＳＬｃｈ）スピーカ１０９ｄ、後方右用サラウンド（ＳＲｃｈ）スピーカ１０９ｅである。ここで、５．１チャンネルのオーディオ信号の場合は、前記５チャンネルのオーディオ信号に、０．１チャンネル分のオーディオ信号に相当する低音専用（ＳＷｃｈ）スピーカへのオーディオ信号が加えられる。
【００２１】
Ａ／Ｄ変換部１０１は、マルチチャンネル再生装置に接続されている複数の再生装置のうち、アナログ信号として入力されたオーディオ信号をデジタル信号に変換するものである。デジタルオーディオ信号の場合は、Ａ／Ｄ変換部１０１を通らず直接セレクタ１０２に入力される。
【００２２】
セレクタ１０２には、ビデオディスクプレーヤを始めとした映像再生装置やオーディオ再生装置が接続されており、各再生装置から入力されるオーディオ信号を外部入力部１０３から入力された指示により、各スピーカ１０９に出力するオーディオ信号を選択する。
【００２３】
外部入力部１０３は、マルチチャンネル再生装置に接続されている複数の再生装置のうち、どの再生装置からのオーディオ信号をスピーカ１０９から出力するか、また、再生セパレーションの調整、また、臨場感等の音響効果を得るための残響音等の付加の設定を行うためのものである。ユーザは、外部入力部１０３により各スピーカ１０９から出力するオーディオ信号について種々な設定を行うことができる。また、ユーザは、外部入力部１０３により、マルチチャンネル再生装置に接続されているスピーカ１０９の配置、各スピーカ１０９間の距離等のスピーカ構成情報の入力を行うことができる。
【００２４】
デジタル信号処理部１０４は、セレクタ１０２で選択されたオーディオ信号を、各チャンネル毎のオーディオ信号に分離し、各チャンネル毎のオーディオ信号の再生セパレーションの調整、残響音等を付加する処理を行うものである。
【００２５】
メモリ１０５は、各スピーカ１０９の配置や各スピーカ間の距離に基づく最適な再生セパレーション値を記憶しているものである。
【００２６】
ＣＰＵ１０６は、外部入力部１０３へのユーザからの入力に基づいて、セレクタ１０２における外部再生装置からのオーディオ信号の選択等の制御、また、デジタル信号処理部１０４における再生セパレーションの調整、残響音の付加等の制御を行うものである。デジタル信号処理部１０４の再生セパレーションの調整には、メモリ１０５に記憶されている再生セパレーション値が参照される。
【００２７】
Ｄ／Ａ変換部１０７は、デジタル信号処理部１０４から出力されたデジタルオーディオ信号をアナログオーディオ信号に変換して出力するものである。
【００２８】
アンプ１０８は、Ｄ／Ａ変換部１０７から出力されたアナログオーディオ信号の信号レベルを増幅し、各チャンネルのスピーカ１０９に出力するものである。
【００２９】
マルチチャンネル再生装置の処理動作について説明する。
各再生装置から入力されるアナログオーディオ信号は、Ａ／Ｄ変換部１０１に入力され、デジタルオーディオ信号に変換されセレクタ１０２に出力される。ここで、外部再生装置から入力されるオーディオ信号がデジタル信号の場合は、そのままセレクタ１０２に入力される。
【００３０】
ユーザが、外部入力部１０３からスピーカ１０９へ出力する外部再生装置のオーディオ信号を選択すると、ＣＰＵ１０６は、セレクタ１０２を制御して入力されたオーディオ信号を選択し、選択された外部再生装置のオーディオ信号をデジタル信号処理部１０４に出力する。
【００３１】
選択された外部再生装置のオーディオ信号は、ディジタル信号処理部１０４に入力される。ユーザは、選択した外部再生装置のオーディオ信号に対応したマルチチャンネル再生方法を選択する。マルチチャンネル再生方法は、例えば、５チャンネルのオーディオ信号を各スピーカからそれぞれ出力する再生方法や、所定チャンネルのオーディオ信号に対して他のチャンネルのオーディオ信号を時間的に遅延させたり位相をずらした後に、所定のチャンネルに合成して出力する再生方法等がある。
【００３２】
ＣＰＵ１０６は、ユーザが選択したマルチチャンネル再生方法に基づいたデコード処理を選択し、デジタル信号処理部１０４は選択されたデコード処理に基づいてオーディオ信号のデコード処理を行う。また、ユーザが、スピーカ１０９から出力されるオーディオ信号に対して、再生セパレーションの調整や残響音の付加等の処理を設定した場合、ＣＰＵ１０６の制御に基づいてそれらの処理も行い出力する。
【００３３】
デジタル信号処理部１０４から出力されたオーディオ信号は、Ｄ／Ａ変換部１０７でアナログ信号に変換されアンプ１０８に出力される。アンプ１０８は、各チャンネルのオーディオ信号の信号レベルを増幅した後、各スピーカ１０９に出力する。
【００３４】
ここで、デジタル信号処理部１０４におけるオーディオ信号の再生セパレーションの調整について、図１、図２及び図３を用いて説明する。
図２は、本発明のマルチチャンネル再生装置における再生セパレーション調整部の一実施例の概略構成を示す模式図である。
図３は、本実施例のマルチチャンネル再生装置におけるスピーカの配置の概略構成を示す模式図である。
デジタル信号処理部１０４は、各チャンネルのオーディオ信号の再生セパレーションを調整する再生セパレーション調整部２０１を備えている。
【００３５】
図２において、再生セパレーション調整部２０１は、複数の乗算部２０２と、複数の加算部２０３とを備え、所定スピーカに隣り合う複数のスピーカのオーディオ信号の信号レベルを減衰させた後、所定スピーカのオーディオ信号と減衰したオーディオ信号とを合成し、所定スピーカから出力するものである。
【００３６】
乗算部２０２は、オーディオ信号の信号レベルを減衰させるものである。加算部２０３は、所定チャンネルのオーディオ信号と、該所定チャンネルのオーディオ信号を出力するスピーカに隣り合うスピーカの前記乗算部２０２による処理が施されたオーディオ信号とを加算するものである。
【００３７】
再生セパレーション調整部２０１において、所定スピーカのオーディオ信号に、所定スピーカに隣り合う複数のスピーカのオーディオ信号を合成して出力する。所定スピーカに隣り合う複数のスピーカのオーディオ信号レベルの減衰量の制御は、各チャンネルのスピーカの配置、各チャンネルのスピーカ間の距離に基づいて、メモリ１０５に記憶されている最適な再生セパレーション値を参照してＣＰＵ１０６が制御する。ＣＰＵ１０６における再生セパレーション調整部２０１の制御は、ディスク等から読み出されたオーディオ信号のマルチチャンネル再生方法により設定される。
【００３８】
図３において、例えば、Ｌｃｈスピーカから出力されるオーディオ信号は、Ｌｃｈスピーカに隣り合うＣｃｈスピーカとＳＬｃｈスピーカのオーディオ信号レベルをそれぞれ所定量減衰させＬｃｈオーディオ信号に加算したものである。
【００３９】
つまり、Ｌｃｈオーディオ信号の乗算部２０２ａの乗算係数をａ１及びａ２、Ｃｃｈオーディオ信号の乗算部２０２ｂの乗算係数をｂ１及びｂ２、Ｒｃｈオーディオ信号の乗算部２０２ｃの乗算係数をｃ１及びｃ２、ＳＬｃｈオーディオ信号の乗算部２０２ｄの乗算係数をｄ１及びｄ２、ＳＲｃｈオーディオ信号の乗算部２０２ｅの乗算係数をｅ１及びｅ２とした場合、Ｌｃｈスピーカに入力されるオーディオ信号は、
Ｌ＝Ｌ＋Ｃ×ｂ１＋ＳＬ×ｄ１                                  （１）
となる。
【００４０】
同様に、Ｃｃｈスピーカ、Ｒｃｈスピーカ、ＳＬｃｈスピーカ、ＳＲｃｈスピーカに入力されるオーディオ信号は、
Ｃ＝Ｃ＋Ｌ×ａ１＋Ｒ×ｃ１                                    （２）
Ｒ＝Ｒ＋Ｃ×ｂ２＋ＳＲ×ｅ１                                  （３）
ＳＬ＝ＳＬ＋Ｌ×ａ２＋ＳＲ×ｅ２                              （４）
ＳＲ＝ＳＲ＋Ｒ×ｃ２＋ＳＬ×ｄ２                              （５）
となる。つまり、各乗算係数を変更することで各チャンネル間の再生セパレーションを調整することができる。
【００４１】
ここで、本実施例においては、低域専用のオーディオ信号は、定位感及び移動感が少ないため、再生セパレーションの調整を省略しているが、各チャンネルのオーディオ信号に低域専用チャンネルのオーディオ信号を加算するようにしてもよい。
【００４２】
前述した処理において、乗算部２０２における乗算係数の設定について、図１を用いて説明する。
ユーザは、外部入力部１０３を用いてマルチチャンネル再生装置に接続されているスピーカ１０９の配置、各スピーカ１０９間の距離等のスピーカ構成情報を入力するものとする。
【００４３】
外部入力部１０３からスピーカ構成情報が入力されると、ＣＰＵ１０６は、スピーカ構成情報のうちのスピーカ１０９の配置から、メモリ１０５に記憶されているスピーカ構成に基づいた最適な再生セパレーション値を参照し、第１再生セパレーション値を確定する。
【００４４】
また、スピーカ構成情報のうち各スピーカ１０９間の距離から、ＣＰＵ１０６は、メモリ１０５に記憶されている各スピーカ間の距離に基づいた最適な再生セパレーション値を参照し、第２再生セパレーション値を確定する。
【００４５】
そして、前記第１再生セパレーション値及び第２再生セパレーション値から、補正再生セパレーション値を求める。
0003740780.tif 000002
【００４６】
ＣＰＵ１０６は、求められた補正再生セパレーション値に対応した乗算係数を前記乗算部２０２に入力する。乗算部２０２は、ＣＰＵ１０６からの乗算係数に基づいて入力したオーディオ信号の信号レベルを減衰させ、各チャンネルのオーディオ信号と加算した後出力する。この処理により各チャンネルのオーディオ信号の再生セパレーションが調整される。
【００４７】
ここで、本実施例においては、乗算係数は、ＣＰＵ１０６がメモリ１０５に記憶している情報に基づいて自動的に決定しているが、ユーザが、再生セパレーションの程度に応じて、大、中、小のように何種類かのパラメータを切り替えられるようにしておき、音を聞きながら自然な移動感を得られる乗算係数を選択して変更するようにしてもよい。
【００４８】
図４は、本発明のマルチチャンネル再生装置における再生セパレーション調整を説明するための模式図である。
前述したように、例えばＬｃｈオーディオ信号に信号レベルが減衰したＣｃｈオーディオ信号とＳＬｃｈオーディオ信号とを加算し、各チャンネルのオーディオ信号の再生セパレーションを調整することにより、図４に示すように、スピーカの距離が離れた場合でも、各スピーカから出力される音の放射音場が隣り合うスピーカの音の放射音場と重なるため、それぞれスピーカの間の音場が拡がる。つまり、各チャンネルのオーディオ信号の再生セパレーションが、各チャンネルのスピーカの配置及びスピーカ間の距離に対応した最適な再生セパレーションとなり、各スピーカ間の距離が離れていて音量が小さい場合でも、自然な音の移動感を得ることができる。
【００４９】
ここで、所定チャンネルのオーディオ信号に他チャンネルの信号レベルを減衰させたオーディオ信号を加算しているが、所定チャンネルのオーディオ信号の信号レベルが大きい場合、オーバフローが生じることがある。そのために、所定チャンネルのオーディオ信号も減衰させ、減衰させた他チャンネルのオーディオ信号と加算するようにしてもよい。
【００５０】
所定チャンネルのオーディオ信号と他チャンネルのオーディオ信号との信号レベルを調整可能とした実施例について説明する。
図５は、本発明のマルチチャンネル再生装置におけるセパレーション調整部の他の実施例を示す模式図である。（ａ）はスピーカの配置を示し、（ｂ）は乗算部及び加算部の構成を示す。
図５（ａ）に示すスピーカの配置の場合、例えば、Ｌｃｈオーディオ信号においては、図５（ｂ）に示すように、乗算係数ａ３の乗算部にＬｃｈオーディオ信号、乗算係数ｂ１の乗算部にＣｃｈオーディオ信号、乗算係数ｄ１の乗算部にＳＬｃｈオーディオ信号を入力し、各乗算部からの３つのオーディオ信号をＬｃｈ用加算部で加算する。これによりＬｃｈスピーカに入力されるＬｃｈオーディオ信号は、
Ｌ＝Ｌ×ａ３＋Ｃ×ｂ１＋ＳＬ×ｄ１                            （７）
となる。
【００５１】
同様に、各チャンネルのオーディオ信号は、
Ｃ＝Ｃ×ｂ３＋Ｌ×ａ１＋Ｒ×ｃ１                              （８）
Ｒ＝Ｒ×ｃ３＋Ｃ×ｂ２＋ＳＲ×ｅ１                            （９）
ＳＬ＝ＳＬ×ｄ３＋Ｌ×ａ２＋ＳＲ×ｅ２                      （１０）
ＳＲ＝ＳＲ×ｅ３＋Ｒ×ｃ２＋ＳＬ×ｄ２                      （１１）
となる。
【００５２】
以上のように、本実施例によれば、再生セパレーションを調整するとき、所定チャンネルのオーディオ信号レベルを減衰させ、信号レベルを減衰させた他チャンネルのオーディオ信号と加算することができるため、所定のチャンネル信号が大きなレベルの場合でもオーバフローを起こすようなことがなく、最適な移動感を得ることができる。
【００５３】
また、本発明のマルチチャンネル再生装置における他の実施例について説明する。
図６は、本発明のマルチチャンネル再生装置において４ｃｈのオーディオ信号を再生する場合の概略構成を示す模式図である。（ａ）はスピーカの配置を示し、（ｂ）は乗算部及び加算部の構成を示す。
図６（ａ）に示すスピーカの配置の場合、すなわち、Ｌｃｈ、Ｃｃｈ、Ｒｃｈ及び後方用サラウンド（Ｓｃｈ）の４ｃｈのオーディオ信号を再生する場合、図５（ｂ）に示す乗算部及び加算部の構成により、各チャンネルのスピーカに入力されるオーディオ信号は、
Ｌ＝Ｌ＋Ｃ×ｂ１＋Ｓ×ｄ１                                  （１２）
Ｃ＝Ｃ＋Ｌ×ａ１＋Ｒ×ｃ１                                  （１３）
Ｒ＝Ｒ＋Ｃ×ｂ２＋Ｓ×ｄ２                                  （１４）
Ｓ＝Ｓ＋Ｒ×ｃ２＋Ｌ×ａ２                                  （１５）
となる。
【００５４】
図７は、本発明のマルチチャンネル再生装置において３ｃｈのオーディオ信号を再生する場合の概略構成を示す模式図である。（ａ）はスピーカの配置を示し、（ｂ）は乗算部及び加算部の構成を示す。
図７（ａ）に示すスピーカの配置の場合、すなわち、Ｌｃｈ、Ｃｃｈ、Ｒｃｈの３ｃｈのオーディオ信号を再生する場合、図７（ｂ）に示す乗算部及び加算部の構成により、各チャンネルのスピーカに入力されるオーディオ信号は、
Ｌ＝Ｌ＋Ｃ×ｂ１                                            （１６）
Ｃ＝Ｃ＋Ｌ×ａ１＋Ｒ×ｃ１                                  （１７）
Ｒ＝Ｒ＋Ｃ×ｂ２                                            （１８）
となる。本実施例においては、左右において最適な移動感が得られる。
【００５５】
図８は、本発明のマルチチャンネル再生装置において３ｃｈのオーディオ信号を再生する場合の概略構成を示す模式図である。（ａ）はスピーカの配置を示し、（ｂ）は乗算部及び加算部の構成を示す。
図８（ａ）に示すスピーカの配置の場合、すなわち、Ｌｃｈ、Ｒｃｈ、Ｓｃｈの３ｃｈのオーディオ信号を再生する場合、図８（ｂ）に示す乗算部及び加算部の構成により、各チャンネルのスピーカに入力されるオーディオ信号は、
Ｌ＝Ｌ＋Ｒ×ｃ２＋Ｓ×ｂ１                                  （１９）
Ｒ＝Ｒ＋Ｌ×ａ２＋Ｓ×ｂ２                                  （２０）
Ｓ＝Ｓ＋Ｌ×ａ１＋Ｒ×ｃ１                                  （２１）
となる。本実施例においては、前後左右において最適な移動感が得られる。
【００５６】
【発明の効果】
本発明によれば、複数のスピーカからそれぞれのスピーカに対応したオーディオ信号を出力し臨場感を得ることが可能なマルチチャンネル再生装置において、異なるマルチチャンネル再生方法に対応したオーディオ信号であっても、スピーカの配置または各スピーカ間の距離に応じて自然な音の移動感を得ることができる。
【図面の簡単な説明】
【図１】本発明のマルチチャンネル再生装置における一実施例の概略構成を示す模式図である。
【図２】本発明のマルチチャンネル再生装置における再生セパレーション調整部の一実施例の概略構成を示す模式図である。
【図３】本実施例のマルチチャンネル再生装置におけるスピーカの配置の概略構成を示す模式図である。
【図４】本発明のマルチチャンネル再生装置における再生セパレーション調整を説明するための模式図である。
【図５】本発明のマルチチャンネル再生装置におけるセパレーション調整部の他の実施例を示す模式図である。（ａ）はスピーカの配置を示し、（ｂ）は乗算部及び加算部の構成を示す。
【図６】本発明のマルチチャンネル再生装置において４ｃｈのオーディオ信号を再生する場合の概略構成を示す模式図である。（ａ）はスピーカの配置を示し、（ｂ）は乗算部及び加算部の構成を示す。
【図７】本発明のマルチチャンネル再生装置において３ｃｈのオーディオ信号を再生する場合の概略構成を示す模式図である。（ａ）はスピーカの配置を示し、（ｂ）は乗算部及び加算部の構成を示す。
【図８】本発明のマルチチャンネル再生装置において３ｃｈのオーディオ信号を再生する場合の概略構成を示す模式図である。（ａ）はスピーカの配置を示し、（ｂ）は乗算部及び加算部の構成を示す。
【図９】従来のマルチチャンネル再生装置における再生セパレーションを説明するための模式図である。
【図１０】従来のマルチチャンネル再生装置においてスピーカ間の距離が離れた場合の再生セパレーションを説明するための模式図である。
【符号の説明】
１０１  …Ａ／Ｄ変換部
１０２  …セレクタ
１０３  …外部入力部
１０４  …デジタル信号処理部
１０５  …メモリ
１０６  …ＣＰＵ
１０７  …Ｄ／Ａ変換部
１０８  …アンプ
１０９  …スピーカ
２０１  …再生セパレーション調整部
２０２  …乗算部
２０３  …加算部
【図１】
0003740780.tif 000003
【図２】
0003740780.tif 000004
【図３】
0003740780.tif 000005
【図４】
0003740780.tif 000006
【図５】
0003740780.tif 000007
【図６】
0003740780.tif 000008
【図７】
0003740780.tif 000009
【図８】
0003740780.tif 000010
【図９】
0003740780.tif 000011
【図１０】
0003740780.tif 000012